(57)【要約】【課題】簡単に作業性よく、壁面に手摺りを取付けることのできる手摺りの取付け構造を提供する。【解決手段】手摺りの取付け構造は、取付けベース１と台座部２と手摺り部３とからなり、該取付けベース１は側断面略コの字型のレール部１１と該レール部１１を支持し、かつ、壁面Ｗに固定される固定部１２とからなり、上記台座部２は上記レール部１１に嵌合、固定されるとともに、上記手摺り部３を装着して手摺りを取付けたものである。【選択図】図１
2006009371.tif 000002
【特許請求の範囲】
【請求項１】
取付けベースと台座部と手摺り部とからなり、該取付けベースは側断面略コの字型のレール部と該レール部を支持し、かつ、壁面に固定される固定部とからなり、上記台座部は上記レール部に嵌合、固定されるとともに、上記手摺り部を装着して手摺りを取付ける手摺りの取付け構造。
【請求項２】
上記取付けベースがアルミから一体成形されるとともに、上記固定部には壁面にネジ固定するためのネジ孔が設けられた請求項１に記載の手摺りの取付け構造。
【請求項３】
上記台座部に手摺り支持部を一定間隔で突設するとともに、この手摺り支持部によって、複数の手摺り部を支持して構成された請求項１に記載の手摺りの取付け構造。
【請求項４】
上記台座部に複数のブラケットを介して長尺手摺り部が取付けられた請求項１に記載の手摺りの取付け構造。
【発明の詳細な説明】
【技術分野】
【０００１】
本発明は、手摺りの取付け構造に関する。さらに詳しくは、廊下や階段等において、壁面に手摺りを取付けるときに用いる手摺りの取付け構造に関する。
【背景技術】
【０００２】
従来、廊下や階段等の壁面に手摺りを取付ける場合、一般的に手摺り用ブラケットを用い、このブラケットに手摺り棒を固定することが行なわれている。この場合、壁面の背面に胴縁等の補強手段を施工する必要があり、例えば、バリアフリー化のために壁面に手摺りを追加施工する場合は、上記補強手段の施工と、その設置位置の確認等を必要とするため、手間がかかり、作業が繁雑となるという問題点がある。そこで、補強手段を施すことなく壁面に直接施工できる手摺りの取付け構造が提案されている。
【特許文献１】特開２００１−８１９２９号公報（第１−３頁、第１図）
【発明の開示】
【発明が解決しようとする課題】
【０００３】
しかしながら、上記技術においては、手摺りの取付け部分に沿って壁面を切断して溝を形成するとともに、この溝にレール材を嵌めこみ、さらにレール材にブラケットを取付けて手摺り棒を固定しなければならず、かなり繁雑な作業を必要とする。本発明は、このような問題点を解決して、簡単に作業性よく、壁面に手摺りを取付けることのできる手摺りの取付け構造を提供することを、その課題とする。
【課題を解決するための手段】
【０００４】
上記課題を解決するために、本発明においてはつぎのような技術的手段を講じている。すなわち、本発明によれば、取付けベースと台座部と手摺り部とからなり、該取付けベースは側断面略コの字型のレール部と該レール部を支持し、かつ、壁面に固定される固定部とからなり、上記台座部は上記レール部に嵌合、固定されるとともに、上記手摺り部を装着して手摺りを取付ける手摺りの取付け構造が提供される。上記台座部の上記レール部への嵌合、固定は接着、ネジ留め等、公知の方法を採用することができる。また、台座部としては、合成樹脂、木質系材料、金属等の各種成形品が用いられ、一体成型品、中空成形品等、特に限定することなく使用される。
【０００５】
上記取付けベースは、一体成形可能な材料、例えば、合成樹脂、スチール、ステンレススチール、アルミ等を用いることができるが、とくに、アルミが軽量で、コスト的にも有利に得られることから、好ましく用いられる。また、上記取付けベースの壁面への固定は、接着、ネジ固定等、とくに限定されるものではないが、上記取付けベースの固定部にネジ固定するためのネジ孔を設けるとともに、このネジ孔にビスを挿通して螺入し、壁面にネジ固定することが好ましい。
【０００６】
また、手摺り部としては、上記台座部に手摺り支持部を一定間隔で突設するとともに、この手摺り支持部によって支持される複数の手摺り部から構成されることが好ましい。あるいは、上記台座部に複数のブラケットを介して長尺手摺り部を取付けることもできる。
【発明の効果】
【０００７】
請求項１に記載の発明は上記のとおりであり、取付けベースが側断面略コの字型のレール部と、該レール部を支持するとともに、壁面に固定される固定部とからなり、上記レール部に嵌合、固定された台座部を介して手摺り部が装着されるため、荷重が壁面の局所に偏ることなく分散され、手摺りを取付けることによって壁面が傷んだり、破損することを防げる。
【０００８】
上記取付けベースがアルミから一体成形されるとともに、上記取付けベースの固定部には壁面に固定するためのネジ孔が設けられているため、このネジ孔を挿通して壁面固定用ビスでネジ固定することにより、上記取付けベースを壁面にしっかりと固定することができる。
【０００９】
また、上記台座部に手摺り支持部を一定間隔で突設するとともに、この手摺り支持部間に短尺手摺り棒を有する手摺り部を、複数架設しているため、この短尺手摺り棒を握って安全に廊下の歩行や階段の昇降を行なうことができる。さらに
、上記台座部に複数のブラケットを介して長尺手摺り部を取付ける形態も採用することができるため、この長尺手摺り部を握って安全に廊下の歩行や階段の昇降を行なうことができる。
【発明を実施するための最良の形態】
【００１０】
以下、本発明の実施形態について図面を参照して、詳細に説明する。図１は、本発明にかかる手摺りの取付け構造の第一実施形態を示す分解斜視図である。図１において、上記第一実施形態にかかる手摺りの取付け構造は、取付けベース１、台座部２、手摺り部３とからなり、取付けベース１は台座部２を嵌合、固定する側断面略コの字型のレール部１１と、レール部１１を支持するとともに、壁面に固定する固定部１２とからなり、固定部１２には後記する壁面固定用ビス７１が挿通するネジ孔１２１が設けられている。
【００１１】
台座部２は、上記レール部１１に嵌合、固定される嵌合部２１と手摺り支持部２２とカバー部２３とからなり、手摺り部３は、短尺手摺り棒３１と上記手摺り支持部２２に支持される被支持部３２とからなる。この被支持部３２は上記手摺り支持部２２に設けられた支持孔２２１に嵌着されるとともに、カバー部２３によって覆われる。
【００１２】
図２(a)は、上記した手摺りの取付け構造を壁面Ｗに取付けた状態を示す平面図であり、図２(b)は、図２(a)におけるＡ−Ａ線に沿う断面図である。図２(a)、図２(b)からよくわかるように、手摺り部３は、その被支持部３２が、上記したように、手摺り支持部２２に設けられた支持孔２２１に嵌め込まれてカバー部２３で化粧され、一定間隔で設けられた手摺り支持部２２の間にしっかりと固定される。したがって、嵌合部２１と短尺手摺り棒３１との間に形成された握り空間Ｓに手を入れて短尺手摺り棒３１を握り、安全に廊下の歩行や階段の昇降を行なうことができる。
【００１３】
図３(a)は、本発明の第二実施形態にかかる手摺りの取付け構造を壁面Ｗに取付けた状態を示す平面図であり、図３(b)は、図３(a)におけるＢ−Ｂ線に沿う断面図である。図３(a)、図３(b)からよくわかるように、第二実施形態においては、第一実施形態と同じく、側断面略コの字型のレール部１１とレール部１１を支持するとともに、壁面に固定される固定部１２とからなる取付けベース１が用いられ、上記固定部１２には壁面固定用ビス７１が挿通するネジ孔１２１が設けられている。台座部４は上記レール部１１に嵌合、固定されるとともに、この台座部４にブラケット５がブラケット固定用ビス７２によって固定され、長尺手摺り部６は、このブラケット５に装着される。かくして、上記台座部４を介して、長尺手摺り部６を壁面Ｗにしっかりと取付けることができ、この長尺手摺り部６を握って、安全に廊下の歩行や階段の昇降を行なうことができる。
【図面の簡単な説明】
【００１４】
【図１】本発明にかかる手摺りの取付け構造の第一実施形態を示す分解斜視図である。
【図２（ａ）】上記手摺りの取付け構造を壁面に取付けた状態を示す平面図である。
【図２（ｂ）】図２(a)におけるＡ−Ａ線に沿う断面図である。
【図３（ａ）】本発明の第二実施形態にかかる手摺りの取付け構造を壁面に取付けた状態を示す平面図である。
【図３（ｂ）】図３(a)におけるＢ−Ｂ線に沿う断面図である。
【符号の説明】
【００１５】
１          取付けベース
１１        レール部
１２        固定部
１２１      ネジ孔
２          第一実施形態における台座部
２１        嵌合部
２２        支持部
２２１      支持孔
２３        カバー部
３          第一実施形態における手摺り部
３１        短尺手摺り棒
３２        被支持部
７１        壁面固定用ビス
Ｓ          握り空間
Ｗ          壁面
４          第二実施形態における台座部
５          第二実施形態におけるブラケット
６          第二実施形態における長尺手摺り棒
７２        ブラケット固定用ビス
【図１】
2006009371.tif 000003
【図２（ａ）】
2006009371.tif 000004
【図２（ｂ）】
2006009371.tif 000005
【図３（ａ）】
2006009371.tif 000006
【図３（ｂ）】
2006009371.tif 000007